(57)【要約】  【課題】短時間使用の場合の利便性が高く、受渡し時及び落下時のノイズ出力を回避でき、誤操作によるノイズを防止でき、構成が簡単なマイクロフォン装置を提供する。  【解決手段】マイク１は、第１操作手段としてのスライド部材１３と、第２操作手段としてのプッシュ部材１５とを有する。スライド部材１３はスライドノブ９を有し、スライドノブ９に対する操作に応じて通電状態と非通電状態が切り換わる。プッシュ部材１５は、プッシュボタン１１が押されている間、スイッチ２１を通電状態にする。スライド部材１３とプッシュ部材１５の連動機構が設けられている。連動機構は、スライド部材１３のスライド方向の移動をプッシュ部材１５のプッシュ方向の移動に変換することにより、スライド部材１３の操作とプッシュ部材１５を連動させる。更に、スライドノブ９とプッシュボタン１１はスライド方向に隔離されている。【選択図】  図１
2010183399.tif 000002
【特許請求の範囲】
【請求項１】
マイク電源の通電状態と非通電状態を切り替える電気接点部品と、
第１操作方向への電源投入操作及び電源解除操作を独立して受ける第１操作部位を有する第１操作手段と、
前記第１操作方向と異なる第２操作方向への電源投入操作を受ける第２操作部位を有し、前記第２操作方向に前記電源投入操作が行われている間前記電気接点部品を前記通電状態にする第２操作手段と、
前記第１操作手段の前記第１操作方向の移動を前記第２操作手段の前記第２操作方向の移動に変換することにより、前記第１操作手段の操作と前記第２操作手段を連動させる連動手段とを備え、
前記第１操作手段の前記第１操作部位と前記第２操作手段の前記第２操作部位とが隔離されていることを特徴とするマイクロフォン装置。
【請求項２】
前記第１操作手段は、通電位置と非通電位置の間でスライド可能なスライドノブを前記第１操作部位として有するスライド部材を含み、前記第１操作方向は前記スライドノブのスライド方向であり、前記第２操作手段は、プッシュボタンを前記第２操作部位として有するプッシュ部材を含み、前記第２操作方向は前記プッシュボタンのプッシュ方向であり、前記プッシュボタンが前記スライドノブから隔離されていることを特徴とする請求項１に記載のマイクロフォン装置。
【請求項３】
前記連動手段は、前記スライド部材に設けられた第１斜面と、前記プッシュ部材に設けられた第２斜面とを有し、前記第１斜面及び前記第２斜面は前記スライド方向及び前記プッシュ方向に対して傾斜しており、前記スライド部材が前記非通電位置から前記通電位置にスライドするときに、前記第１斜面が前記第２斜面を押圧し、前記プッシュ部材を前記プッシュ方向に移動させることを特徴とする請求項２に記載のマイクロフォン装置。
【請求項４】
前記電気接点部品と前記プッシュ部材との間に配置されたバネ部材を有し、前記バネ部材は、前記プッシュ部材を前記プッシュ方向と反対方向に付勢することを特徴とする請求項２または３に記載のマイクロフォン装置。
【請求項５】
前記プッシュボタンが前記スライドノブよりもマイク先端側に配置されていることを特徴とする請求項２乃至４のいずれかに記載のマイクロフォン装置。
【請求項６】
前記スライド部材を前記通電位置及び前記非通電位置のいずれかにロックするロック手段を有することを特徴とする請求項２乃至５のいずれかに記載のマイクロフォン装置。
【請求項７】
前記ロック手段は、前記スライド部材に設けられており弾性的に撓み変形可能な弾性片部から突出する弾性爪を有し、前記弾性爪が、前記通電位置及び前記非通電位置にそれぞれ対応する複数の爪嵌合部のいずれかに嵌り、前記スライド部材の移動を制限することを特徴とする請求項６に記載のマイクロフォン装置。
【請求項８】
前記プッシュボタンへの荷重が所定の上限荷重を超える前に前記プッシュ部材の前記プッシュ方向への移動を規制する突当構造を有することを特徴とする請求項２乃至７のいずれかに記載のマイクロフォン装置。
【請求項９】
前記プッシュ部材及び前記スライド部材を覆う操作パネルを有し、前記操作パネルは、前記プッシュボタンを露出させるボタン開口と、前記スライドノブを露出させるノブ開口とを有し、前記ボタン開口と前記ノブ開口が仕切部で仕切られていることを特徴とする請求項２乃至８のいずれかに記載のマイクロフォン装置。
【請求項１０】
前記操作パネルは、傾斜面で囲まれた凹部を有し、前記凹部の底部に前記ボタン開口及び前記ノブ開口が設けられていることを特徴とする請求項９に記載のマイクロフォン装置。
【請求項１１】
前記操作パネルに着脱可能であり、前記プッシュボタン及び前記スライドノブの一方を選択的に覆う誤操作防止カバーを含むことを特徴とする請求項９または１０に記載のマイクロフォン装置。
【発明の詳細な説明】
【技術分野】
【０００１】
本発明は、スイッチ構造を改良したマイクロフォン装置に関する。
【背景技術】
【０００２】
従来、ハンドヘルド型のマイクロフォン装置（以下、マイクロフォン装置を単にマイクともいう）が各種の用途で用いられている。従来の一般的なマイクは、電源投入及び電源解除のために操作されるスライドスイッチを有している。スライドスイッチは、マイク本体の円筒面に設けられ、通電位置と非通電位置の間でスライドされる。
【０００３】
例えば、教育現場では、生徒達がマイクを使って順番に発言することがある。このような場合には、短時間で電源の投入及び解除が繰り返される。しかし、従来のスライドスイッチを備えた構造では、電源投入と電源解除に独立した操作が必要なため、利便性が悪かった。
【０００４】
また、電源が投入された状態でマイクが受け渡される場合、タッチノイズがマイクに拾われ、スピーカから出力される。また、受渡しの時にマイクが落下すると、衝撃音がマイクに入力され、スピーカから出力される。
【０００５】
特許文献１は、上記問題に対処可能なマイクを提案している。同文献では、マイクケースに回動部材が設けられる。回動部材は、マイクケースの窓部から突出する突出部を有する。突出部の外側に可動片が設けられる。また、突出部の内側に押圧片の一端が設けられ、突出部を挟んで可動片と連結される。押圧片の他端は、スイッチレバーに係合する。スイッチレバーは、電源スイッチのピンプランジャに接触する。
【０００６】
上記構成において、可動片は、上位置と下位置の間でスライドされる。可動片が上位置にスライドされると、押圧片がスイッチレバーを押し、マイクが通電状態になる。可動片が下位置にあるときは、可動片が押圧されている間だけ、回動部材が回動し、押圧片がスイッチレバーを押し、マイクが通電状態になる。
【０００７】
上記従来技術によれば、長時間マイクを使用するときは、可動片をスライドすることにより、通電状態が維持される。また、短時間マイクを使用するときは、可動片を押し下げている間だけマイクが通電状態になる。したがって、マイクを短時間使用する場合に操作が簡単になる。
【特許文献１】実開昭５５−１５０５６７号公報
【発明の開示】
【発明が解決しようとする課題】
【０００８】
しかしながら、従来のマイクロフォン装置においては、スライド操作と押下げ操作の両方が、一つの可動片に対して行われる。そのため、使用者が、可動片を押し下げている最中に、誤って可動片をスライドさせる可能性があるという問題があった。例えば、操作者が押下げ操作を斜め上方に向けて行った場合には、可動片が押下げられた状態で容易にスライドしてしまう。そして、このような誤操作が行われると、通電状態で可動片がスライドし、可動片とマイクケースの摺動音がノイズとしてマイクに拾われ、スピーカから出力されてしまう。また、上記の誤操作は、無意識に行われてしまう可能性がある。その場合、通電状態に気付かずにマイクが受け渡されてしまい、タッチノイズが出力されてしまう。また、マイクが机等に置かれた場合には、更に大きなノイズが出力される。
【０００９】
また、上記のような誤操作を防ぐために複数のスイッチを設けることも考えられるが、構成が複雑化するという問題がある。
【００１０】
ここでは、スライドノブとプッシュボタンを取り上げて本発明の背景を説明した。しかし、これら操作部材の組み合わせ以外の場合にも同様の問題が生じ得る。
【００１１】
本発明は、従来の問題を解決するためになされたもので、その目的は、短時間使用の場合の利便性が高く、受渡し時及び落下時のノイズ出力を回避でき、更に誤操作によるノイズを防止でき、構成が簡単なマイクロフォン装置を提供することにある。
【課題を解決するための手段】
【００１２】
本発明のマイクロフォン装置は、マイク電源の通電状態と非通電状態を切り替える電気接点部品と、第１操作方向への電源投入操作及び電源解除操作を独立して受ける第１操作部位を有する第１操作手段と、前記第１操作方向と異なる第２操作方向への電源投入操作を受ける第２操作部位を有し、前記第２操作方向に前記電源投入操作が行われている間前記電気接点部品を前記通電状態にする第２操作手段と、前記第１操作手段の前記第１操作方向の移動を前記第２操作手段の前記第２操作方向の移動に変換することにより、前記第１操作手段の操作と前記第２操作手段を連動させる連動手段とを備え、前記第１操作手段の前記第１操作部位と前記第２操作手段の前記第２操作部位とが隔離されている。
【００１３】
この構成により、マイクロフォン装置に２つの操作手段と連動手段が設けられる。第１操作手段は、電源投入操作と電源解除操作を独立して受ける構成であり、第１操作部位に対する操作に応じて通電状態と非通電状態が切り換わる。第２操作手段は、電源投入操作が行われている間電気接点部品を通電状態にし、電源投入操作の力が取り除かれると電源を解除する。マイクロフォン装置を長時間使用するときに第１操作手段が便利に使用されるのに対し、短時間に電源投入と電源解除を繰り返す場合には第２操作手段が便利に使用される。また、第２操作手段を用いることにより、受渡し時や落下時にマイク電源がオフになるのでノイズ出力を回避できる。また、連動手段を設けたことにより、第１操作手段に対する操作が第２操作手段を介して電気接点部品に伝えられるので、電気接点部品が一つでよく、構成が簡単である。更に、第１操作部位と第２操作部位が隔離されているので、第２操作手段の操作中に誤って第１操作手段を操作するといった誤操作を防止できる。こうして、短時間使用の場合の利便性が高く、受渡し時及び落下時のノイズ出力を回避でき、更に誤操作によるノイズを防止でき、構成が簡単なマイクロフォン装置を提供できる。
【００１４】
また、本発明のマイクロフォン装置において、前記第１操作手段は、通電位置と非通電位置の間でスライド可能なスライドノブを前記第１操作部位として有するスライド部材を含み、前記第１操作方向は前記スライドノブのスライド方向であり、前記第２操作手段は、プッシュボタンを前記第２操作部位として有するプッシュ部材を含み、前記第２操作方向は前記プッシュボタンのプッシュ方向であり、前記プッシュボタンが前記スライドノブから隔離されている。
【００１５】
この構成により、第１操作手段としてスライド部材が設けられ、第２操作手段としてプッシュ部材が設けられる。スライドノブは長時間使用時での利便性が高く、プッシュボタンは短時間使用時の利便性が高い。そして、上述したように、短時間使用の場合の利便性が高く、受渡し時及び落下時のノイズ出力を回避でき、更に誤操作によるノイズを防止でき、構成が簡単なマイクロフォン装置を提供できる。
【００１６】
また、本発明のマイクロフォン装置において、前記連動手段は、前記スライド部材に設けられた第１斜面と、前記プッシュ部材に設けられた第２斜面とを有し、前記第１斜面及び前記第２斜面は前記スライド方向及び前記プッシュ方向に対して傾斜しており、前記スライド部材が前記非通電位置から前記通電位置にスライドするときに、前記第１斜面が前記第２斜面を押圧し、前記プッシュ部材を前記プッシュ方向に移動させる。
【００１７】
この構成により、スライド部材がスライドされたとき、スライド部材とプッシュ部材の斜面が係合し、プッシュ部材が連動する。係合する２つの斜面からなる簡単な構成により、スライド部材にプッシュ部材を連動させることができる。
【００１８】
また、本発明のマイクロフォン装置は、前記電気接点部品と前記プッシュ部材との間に配置されたバネ部材を有し、前記バネ部材は、前記プッシュ部材を前記プッシュ方向と反対方向に付勢する。
【００１９】
この構成により、プッシュ操作はバネ部材を介して電気接点部品へ伝達される。また、プッシュボタンが押されないときは、バネ部材によりプッシュ部材が付勢されて、非通電状態が維持される。こうして、電気接点部品とプッシュ部材の間にバネ部材を介在させる簡単な構成により、一時的に電源を投入するプッシュ部材の機能を好適に実現できる。
【００２０】
また、本発明のマイクロフォン装置では、前記プッシュボタンが前記スライドノブよりもマイク先端側に配置されている。
【００２１】
この構成により、下記のように誤操作を好適に防止できる。使用者がマイクロフォンを把持しながらプッシュボタンを操作するとき、親指がマイク先端を向いていることが多い。そのため、使用者がプッシュボタンを親指で押し下げる場合、親指がマイク先端側に向けて滑る傾向がある。この構成では、プッシュボタンがスライドノブよりマイク先端側に配置されるので、仮に親指が滑っても、スライドノブに親指が接触しない。したがって、誤操作をより確実に防止できる。
【００２２】
また、本発明のマイクロフォン装置は、前記スライド部材を前記通電位置及び前記非通電位置のいずれかにロックするロック手段を有する。
【００２３】
この構成により、スライド部材を通電位置又は非通電位置に確実に保持でき、通電状態又は非通電状態を確実に維持できる。
【００２４】
また、本発明のマイクロフォン装置において、前記ロック手段は、前記スライド部材に設けられており弾性的に撓み変形可能な弾性片部から突出する弾性爪を有し、前記弾性爪が、前記通電位置及び前記非通電位置にそれぞれ対応する複数の爪嵌合部のいずれかに嵌り、前記スライド部材の移動を制限する。
【００２５】
この構成により、スライド部材に弾性爪を設ける簡単な構成により、スライド部材を通電位置又は非通電位置に係止できる。
【００２６】
また、本発明のマイクロフォン装置は、前記プッシュボタンへの荷重が所定の上限荷重を超える前に前記プッシュ部材の前記プッシュ方向への移動を規制する突当構造を有する。
【００２７】
この構成により、いたずら等によりプッシュボタンが異常な過荷重で押し込まれた場合でも電気接点部品が破損するのを防ぐ保護機能を提供できる。しかも、このような保護機能を、部品点数を増加させることなく実現できる。
【００２８】
また、本発明のマイクロフォン装置は、前記プッシュ部材及び前記スライド部材を覆う操作パネルを有し、前記操作パネルは、前記プッシュボタンを露出させるボタン開口と、前記スライドノブを露出させるノブ開口とを有し、前記ボタン開口と前記ノブ開口が仕切部で仕切られている。
【００２９】
この構成により、プッシュボタンとスライドノブを適切に隔離でき、誤操作を確実に防止できる。
【００３０】
また、本発明のマイクロフォン装置において、前記操作パネルは、傾斜面で囲まれた凹部を有し、前記凹部の底部に前記ボタン開口及び前記ノブ開口が設けられている。
【００３１】
この構成により、操作パネルの凹部にプッシュボタンとスライドノブが配置される。操作パネルの凹部は傾斜面で囲まれる。これにより、使用者の指が傾斜面で案内され、誤操作を低減でき、操作が容易になる。好ましくは、プッシュボタンがスライドノブよりマイク先端側であって、傾斜面の近傍に配置される。これにより、使用者の親指がプッシュボタンから滑ろうとしても、操作パネルの傾斜面に支持される。したがって、滑りを防止でき、操作が容易になる。
【００３２】
また、本発明のマイクロフォン装置は、前記操作パネルに着脱可能であり、前記プッシュボタン及び前記スライドノブの一方を選択的に覆う誤操作防止カバーを含む。
【００３３】
この構成により、プッシュボタン及びスライドノブの一方が誤操作防止カバーで覆われる。これにより、ユーザが長期的にプッシュボタンとスライドノブの一方を操作することを想定している場合に、隣接する他方の操作部位に誤って触れることを防止できる。
【発明の効果】
【００３４】
上記のように、本発明は、第１操作手段に加えて上記の第２操作手段を設け、第１操作手段と第２操作手段を連動させ、更に、第１操作部位と第２操作部位を隔離しており、このような構成を設けたことにより、短時間使用の場合の利便性が高く、受渡し時及び落下時のノイズ出力を回避でき、更に誤操作によるノイズを防止でき、構成が簡単なマイクロフォン装置を提供することができる。
【発明を実施するための最良の形態】
【００３５】
以下、本発明の実施の形態のマイクロフォン装置について、図面を用いて説明する。
【００３６】
本発明の実施の形態のマイクロフォン装置（以下、単にマイクという）を図１〜図７に示す。図１は、マイク１の分解斜視図であり、図２は、マイク１の外観の斜視図であり、図３は、マイク１の操作パネル部を拡大した斜視図であり、図４は、操作パネル部の正面図であり、図５は、非通電状態（オフ状態）におけるマイク１を図４のＡ−Ａ線で切断した断面図であり、更に、図６は、図５に対応する断面図であり、プッシュ操作状態を示す。図７も図５に対応する断面図であるが、図７は、スライド操作を示す。
【００３７】
まず、図２及び図３の外観図を参照すると、マイク１は全体としては筒型であり、本体ケース３の先端に集音部５が設けられている。本体ケース３の外面には操作パネル７が設けられており、本体ケース３と共にマイク本体を構成している。そして、操作パネル７にスライドノブ９及びプッシュボタン１１が配置されている。スライドノブ９は外面に沿ってスライド可能であり、プッシュボタン１１は外面に垂直に押下げ可能である。
【００３８】
以下、マイク１の集音部側を「先端」又は「上」といい、反対側を「基端」又は「下」という。また、筒形状の外面側を「外側」といい、筒形状の中心側を「内側」という。更に、操作パネル７に垂直な方向をＸ方向といい、操作パネル７の上下方向をＹ方向という。Ｘ方向はプッシュボタン１１のプッシュ方向であり、Ｙ方向はスライドノブ９のスライド方向である。
【００３９】
次に、図１等を参照して、マイク１の構成をより詳細に説明する。図１に示すように、マイク１は、本体ケース３を有しており、そして、本体ケース３には、操作パネル７、スライド部材１３、プッシュ部材１５、スプリング１７及びプリント基板１９が組み付けられている。上記のスライドノブ９はスライド部材１３に設けられ、プッシュボタン１１はプッシュ部材１５に設けられている。更に、プリント基板１９にはスイッチ２１が備えられている。
【００４０】
本体ケース３は分割構造を有しており、２つの半部が組み合わされて、筒形状が形成される。操作パネル（スイッチパネル）７は、本体ケース３の円筒面から露出するように、本体ケース３に組み付けられる。操作パネル７は、本体ケース３の２つの半部に挟まれることにより、本体ケース３に完全に拘束されている。
【００４１】
操作パネル７の外面には凹部３１が設けられており、凹部３１は傾斜面３３で囲まれている。凹部３１の底部３５には、ボタン開口３７及びノブ開口３９が設けられている。ボタン開口３７は円形であり、ノブ開口３９は四角形であり、ボタン開口３７の方がノブ開口３９より先端側に位置している。ボタン開口３７とノブ開口３９は仕切部４１で仕切られている。また、操作パネル７は、凹部３１より先端側に、インジケータランプ用の２つの開口４３を有している。
【００４２】
スライド部材１３は、操作パネル７の内側に配置されている。スライド部材１３は、本体ケース３と操作パネル７により、Ｘ方向には移動不能に拘束されており、Ｙ方向には４ｍｍの範囲で移動可能である。スライドストロークの上端を通電位置（オン位置）といい、下端を非通電位置（オフ位置）という。図５では、スライド部材１３が非通電位置にある。図７では、スライド部材１３が通電位置にある。
【００４３】
スライド部材１３はスライドプレート５１を有し、スライドプレート５１の左右両端から内側に脚部５３が延びており、脚部５３の先端が両側に突出して、案内凸部５５を形成している。案内凸部５５が、本体ケース３に設けられた案内溝に嵌っており、これによりスライド部材１３はＹ方向にスライド可能である。
【００４４】
スライドノブ９は、スライドプレート５１から外側に向けて突出している。スライドノブ９は薄い板であり、操作パネル７のノブ開口３９から突き出している。ノブ開口３９は、スライドノブ９がスライドしても操作パネル７と干渉しないように、スライドノブ９のストロークに応じた四角形の形状を有している。
【００４５】
また、スライドプレート５１は、スライドノブ９の上側にボタンのための開口５７を有している。開口５７をプッシュボタン１１が貫通している。スライド部材１３がスライドしてもプッシュボタン１１と干渉しないように、開口５７はスライドノブ９のストロークに応じた長さの長円形を有している。
【００４６】
また、スライドプレート５１の下端からは、弾性片部５９が突き出しており、そして、弾性片部５９の先端には、外側を向くように弾性爪６１が設けられている。弾性爪６１は、操作パネル７の裏面に設けられた２つの爪嵌合部６３、６５（図５）の一方に嵌る。
【００４７】
各々の爪嵌合部６３、６５は、弾性爪６１と係合する形状を有する溝である。下側の爪嵌合部６３はスライドノブ９の非通電位置に対応しており、上側の爪嵌合部６５はスライドノブ９の通電位置に対応している。図５に示されるように、スライド部材１３が下方の非通電位置にあるときは弾性爪６１が下側の爪嵌合部６３と係合する。図７に示されるように、スライド部材１３が上方の通電位置にあるときは、弾性爪６１が上側の爪嵌合部６５と係合する。
【００４８】
上記のように弾性爪６１が爪嵌合部６３又は６５に嵌るので、スライドノブ９は通電位置又は非通電位置にロックされており、スライドノブ９に所定のスライド操作力が加わらないとスライド部材１３はスライドしない。所定のスライド操作力がスライドノブ９に加わると、弾性片部５９が撓み、弾性爪６１が爪嵌合部６３又は６５から外れ、スライド部材１３がスライドする。このように、弾性爪６１は、本発明のロック手段を構成している。
【００４９】
次に、プッシュ部材１５について説明する。プッシュ部材１５は、スライド部材１３の内側に配置されている。プッシュ部材１５は、本体ケース３と操作パネル７により、Ｙ方向には移動不能に拘束されているが、Ｘ方向には２ｍｍの範囲で移動可能である。
【００５０】
プッシュ部材１５は、板状のボタンベース７１を有し、ボタンベース７１は、スライド部材１３のスライドプレート５１の内側に接しており、また、両側の脚部５３の間に位置している。ボタンベース７１からは外側に向けて円形のプッシュボタン１１が突出している。プッシュボタン１１は、スライド部材１３の開口５７を通り抜け、更に、操作パネル７のボタン開口３７を通り抜けて、マイク本体の外側に突き出している。
【００５１】
ここで、操作パネル７のボタン開口３７とノブ開口３９は上述したように仕切部４１で仕切られて離れており、ボタン開口３７がノブ開口３９よりもマイク先端側に位置している。したがって、プッシュ部材１５とスライド部材１３は重なって配置されているものの、スライドノブ９（本発明の第１操作部位）とプッシュボタン１１（本発明の第２操作部位）は上下に離れ、完全に隔離されており、プッシュボタン１１の方がスライドノブ９よりもマイク先端側に位置している。
【００５２】
プッシュ部材１５は、先端の当接部７３にてスプリング１７の先端部８９に接しており、スプリング１７により外側に向けて、すなわちプッシュ方向（Ｘ方向）と反対側に向けて付勢されている。したがって、スプリング１７のテンションが加わっているので、所定のプッシュ操作力が加わらないとプッシュボタン１１は押し下げられない。上記プッシュ操作力が加わると、プッシュボタン１１がプッシュ方向に押し下げられる。
【００５３】
また、図８及び図９を参照して、スイッチ保護のための突当構造について説明する。図８に示すように、プッシュ部材１５は、先端に２つの突起部７５を有している。これら突起部７５は、左右両端に設けられており、内側に向けて突出している。突起部７５は、本発明の突当構造を構成しており、プッシュボタン１１の押下げ量が所定の最大プッシュストロークに達すると、突起部７５が、本体ケース３の隔壁に設けられた突当部である突当壁７７（図９）に当接し、プッシュボタン１１がそれ以上は押下げ不能になる。この突当構造は、プッシュボタン１１への荷重が所定の上限荷重を超える前にプッシュ部材１５の移動が規制されるように設定されており、スイッチ２１の保護機能を提供する。上限荷重は例えば１５ｋｇである。
【００５４】
プッシュボタン１１の最大ストロークは上記の突当位置によって決まる。プッシュボタン１１が押し下げられていないときは、プッシュ部材１５がスプリング１７により付勢されて、スライド部材１３に突き当たっている。これらの突当位置間の距離が、プッシュストロークであり、上述のように約２ｍｍに設定されている。
【００５５】
次に、スプリング１７について説明する。スプリング１７は、既に述べたように、プッシュ部材１５を外側に向けて付勢している。スプリング１７は板バネであり、折り曲げられた形状を有しており、折曲げ部８１の一方の側が固定部８３であり、他方の側が可動部８５である。折曲げ部８１が下側に配置され、固定部８３及び可動部８５が上方に延びており、固定部８３が内側に、可動部８５が外側に配置されている。
【００５６】
固定部８３は、本体ケース３に取り付けられており、完全に拘束されている。折曲げ部８１が本体ケース３の支点８７（図５）に係合している。可動部８５は、支点８７にて固定された片持ち梁であり、Ｘ方向（プッシュボタン１１のプッシュ方向）に撓み変形可能である。
【００５７】
可動部８５は、図示のように、支点８７から上方に延び、それから、上方かつ内側に向けて屈曲してスイッチ２１に向かって延びる。可動部８５とスイッチ２１の間には隙間が設けられている。可動部８５は、スイッチ２１の近傍で再び屈曲して上方かつ外側に延びており、そして、可動部８５の先端部８９が、プッシュ部材１５の上端の当接部７３に当接し、当接部７３を外側へ向けて付勢している。
【００５８】
可動部８５がこのような形状を有することにより、スプリング１７がプッシュボタン１１を外側に向けて付勢している。そして、この付勢力により、プッシュボタン１１が押されていないとき、プッシュ部材１５がスライド部材１３に当接する。プッシュボタン１１が押されると、可動部８５が撓み、スイッチ２１に当接し、スイッチ２１を押す。このように、プッシュボタン１１のプッシュ操作は、スプリング１７を介してスイッチ２１に伝達される。
【００５９】
次に、プリント基板１９とスイッチ２１について説明する。プリント基板１９は、本体ケース３内に収容されている。スイッチ２１はプリント基板１９に取り付けられており、プリント基板１９を介して本体ケース３に完全に拘束されている。
【００６０】
スイッチ２１は、プッシュタイプのスイッチであり、押下げられる部位としてステム９１を有している。ステム９１が押されると、内部の接点回路が閉成し、マイク１の電源が投入される。ステム９１が押下げ状態から解除されると、接点が開き、電源が解除される。こうして、マイク１（スイッチ２１）の通電状態（オン状態）と非通電状態（オフ状態）が切り替わる。
【００６１】
プリント基板１９には、更に、２つのインジケータランプ９３が取り付けられている。各々のインジケータランプ９３は、ＬＥＤである。インジケータランプ９３は、スイッチ２１の上方に位置しており、操作パネル７の開口４３から露出している。
【００６２】
次に、図１０及び図１１を参照し、スライド部材１３とプッシュ部材１５の連動機構について説明する。この連動機構は、スライドノブ９が操作されたときに、スライド部材１３の動きにプッシュ部材１５を連動させるために設けられている。
【００６３】
図１０は、スライド部材１３の裏面とプッシュ部材１５の外面を示しており、図１１は、マイク１を図４のラインＢ−Ｂで切断した断面図であり、ラインＢ−Ｂは連動機構を通っている。図１１には連動機構の動作が示されている。
【００６４】
図１０に示されるように、連動機構は、スライド部材１３の第１斜面１０１とプッシュ部材１５の第２斜面１０３とで構成されている。第１斜面１０１は、スライド部材１３のスライドプレート５１の裏面に設けられている。より詳細には、第１斜面１０１は、左右の脚部５３の各々に隣接して、脚部５３の内壁面に設けられている。また、第２斜面１０３は、プッシュ部材１５のボタンベース７１の左右両端に設けられている。
【００６５】
図１１に示されるように、第１斜面１０１及び第２斜面１０３は、同じ角度で傾斜しており、そして、これら第１斜面１０１及び第２斜面１０３はＸ方向（プッシュ方向）とＹ方向（スライド方向）の両方に対して傾斜している。
【００６６】
スライド部材１３が下方の非通電位置にあるとき、第１斜面１０１及び第２斜面１０３は、小さい隙間を隔てて近接している。電源投入のためにスライド部材１３が上方にスライドされると、第１斜面１０１が第２斜面１０３に接触し、係合する。第１斜面１０１が第２斜面１０３を押し、スライド部材１３のスライド方向の移動が、プッシュ部材１５のプッシュ方向の移動に変換される。こうして、プッシュ部材１５は、スライド部材１３に連動して、プッシュ方向に移動し、スプリング１７を介してスイッチ２１を閉じる。スライド部材１３が下方向にスライドされると、第１斜面１０１もスライドして第２斜面１０３から離れ、スイッチ２１が開く。
【００６７】
以上にマイク１の構成について説明した。上記の実施の形態では、スライド部材１３及びプッシュ部材１５が本発明の第１操作手段及び第２操作手段に相当する。ただし、本発明の範囲内で、第１操作手段及び第２操作手段は上記構成に限定されなくてよい。
【００６８】
次に、本実施の形態に係るマイク１の動作について説明する。ここでは、マイク１の２つの操作方法について説明する。２つの操作方法とは、プッシュ操作とスライド操作である。
【００６９】
まず、図５、図６及び図１２を参照し、プッシュ操作について説明する。図１２はプッシュ操作方法を示し、図５は操作前の状態を示し、図６は、プッシュ操作が行われている状態を示す。プッシュ操作では、使用者がマイク１を握り、電源投入操作として親指でプッシュボタン１１をＸ方向に押し下げる。プッシュボタン１１が押し下げられると、プッシュ部材１５がスプリング１７を介して、スイッチ２１を押し下げる。詳細には、プッシュ部材１５がスプリング１７の付勢力に打ち勝ってＸ方向に移動し、スプリング１７の可動部８５を撓ませ、可動部８５がスイッチ２１のステム９１に接触し、押し下げる。これにより、スイッチ２１が閉じ、マイク１は通電状態になる。
【００７０】
プッシュ操作を終了するときは、プッシュボタン１１から使用者の親指が離され、プッシュ操作力が取り除かれる。スプリング１７の形状が復元し、プッシュ部材１５をプッシュ方向と反対に付勢し、プッシュボタン１１は元の位置に戻る。スプリング１７の可動部８５は、スイッチ２１から離れ、スイッチ２１の接点が開き、マイク１は非通電状態になる。
【００７１】
上記のように、プッシュ操作では、プッシュボタン１１が押されている間のみ、すなわち電源投入操作中のみ、マイク１が通電状態になる。プッシュボタン１１の押下力が取り除かれると、電源が解除され、マイク１は非通電状態になる。このようなプッシュ操作は、短時間の使用において便利である。また、マイク１を受け渡したり、マイク１が落下した場合でも、プッシュボタン１１から手が離れた瞬間に電源が解除される。したがって、タッチノイズや衝撃音が出力されるのを回避できる。
【００７２】
また、プッシュ操作において、いたずらなどにより異常な過荷重でプッシュボタン１１が押し込まれたとする。このような場合でも、図９を用いて説明したように、保護機構によってスイッチ２１が保護される。保護機構は、プッシュ部材１５の突起部７５と、本体ケース３の突当壁７７とからなる突当構造である。以下、保護機構の動作を説明する。
【００７３】
図９に示されるように、プッシュボタン１１が押されてマイク１が通電状態になった後、更に、プッシュボタン１１が押し込まれ、プッシュ荷重が増大したとする。スプリング１７の先端部８９が、プッシュ部材１５の先端の当接部７３に押され、スプリング１７の可動部８５が更に弾性変形する。そして、プッシュボタン１１の押下げ量が所定の最大プッシュストロークに達すると、プッシュ部材１５の突起部７５が、本体ケース３の隔壁の一部である突当壁７７に突き当たる。これにより、更にプッシュ荷重が増大しても、プッシュ部材１５の移動は突当壁７７に阻止される。したがって、スプリング１７及びスイッチ２１への荷重がそれ以上増大せず、スイッチ２１及びスプリング１７の破損を防止することができる。
【００７４】
次に、図５、図７、図１１及び図１３を参照し、スライド操作について説明する。図１３は操作方法を示し、図５は電源投入操作前の状態を示し、図７は電源投入操作後の状態を示し、図１１は、第１斜面１０１、第２斜面１０３からなる連動機構の動作を示している。スライド操作では、使用者がマイク１を握り、親指でスライドノブ９を上下にスライドする。上方へのスライドが、電源投入操作であり、下方へのスライドが、電源解除操作である。
【００７５】
まず、マイク１が非通電状態にあったとする。非通電状態では、図５に示されるように、スライド部材１３が下方の非通電位置にある。そして、スライド部材１３の弾性爪６１が、操作パネル７の下側の爪嵌合部６３に嵌っており、スライド部材１３は非通電位置にてロックされている。
【００７６】
スライドノブ９に対して上向きのスライド操作力が加えられると、スライド部材１３の弾性片部５９が弾性変形して撓み、弾性爪６１が爪嵌合部６３から外れ、スライド部材１３がスライドする。そして、スライド部材１３の第１斜面１０１が、プッシュ部材１５の第２斜面１０３に接触し、この第２斜面１０３を押圧する。傾斜面により力の方向が変換され、プッシュ部材１５はプッシュ方向の力を受ける。
【００７７】
スライド部材１３はＹ方向にスライド可能だがＸ方向には拘束されている。一方、プッシュ部材１５はＸ方向に移動可能である。したがって、スライド部材１３がスライド方向に移動し続けると、第１斜面１０１と第２斜面１０３が摺動し、スライド部材１３の移動に応じてプッシュ部材１５がプッシュ方向に移動し、スプリング１７が撓む。スライド部材１３が更に進むと、スプリング１７の可動部８５がスイッチ２１に接触し、スイッチ２１のステム９１が押され、接点が導通し、マイク１が通電状態になる。
【００７８】
図１１に示されるように、スライド部材１３が更に移動すると、第１斜面１０１が第２斜面１０３を通り過ぎ、スライド部材１３の裏面がプッシュ部材１５に接する。そして、スライド部材１３が上側のストローク端である通電位置に達すると、スライド部材１３の弾性爪６１が上側の爪嵌合部６３に嵌り込み、通電状態でスライド部材１３がロックされる。
【００７９】
スライド操作では、電源投入後に使用者の指がスライドノブ９から離され、操作力が取り除かれても、スライド部材１３が固定され、通電状態が維持される。したがって、マイク１を長時間使用する場合に、操作力を加え続ける必要がないので、使用者のストレスが少ない。
【００８０】
次に、電源解除操作を説明する。電源解除操作は、上記の電源投入操作の逆である。使用者は、マイク１を握り、親指でスライドノブ９を下方にスライドさせる。スライドノブ９に下向きのスライド操作力が加わると、スライド部材１３の弾性片部５９が弾性変形して撓み、弾性爪６１が上側の爪嵌合部６３から外れ、スライド部材１３が下方へとスライドを開始する。スライド部材１３の第１斜面１０１も下方へ移動し、第２斜面１０３に到達し、第２斜面１０３と摺動する。これにより、第２斜面１０３が外側に向けて移動可能になるので、プッシュ部材１５がスプリング１７の復元力に付勢されて外側に移動する。第１斜面１０１が第２斜面１０３から離れると、プッシュ部材１５はスライド部材１３に当接し、完全に元の位置に戻る。スプリング１７の可動部８５はスイッチ２１のステム９１から離れ、スイッチ２１の接点が開き、マイク１は非通電状態になる。スライド部材１３は下側のストローク端である非通電位置に達し、スライド部材１３の弾性爪６１が下側の爪嵌合部６３に嵌り込み、非通電状態でスライド部材１３がロックされる。
【００８１】
次に、本実施の形態の変形例を説明する。この変形例では、着脱可能な誤操作防止カバーが設けられる。使用者が、長期的にスライドノブ９とプッシュボタン１１の一方を使用することを選択したとする。このような場合、使用されない側の操作部は、当面不要であり、誤操作の要因になる。そこで、本実施の形態では、使用されない操作部に誤って触れることを防止するために、誤操作防止カバーが設けられる。
【００８２】
図１４を参照すると、誤操作防止カバー１１１は、スライドノブ９及びプッシュボタン１１の片方を覆う形状を有している。誤操作防止カバー１１１は、操作パネル７の凹部３１における上下端の半円と適合する半円部を有している。誤操作防止カバー１１１の左右両端からは、脚部１１３が延びており、脚部１１３は先端に嵌合爪１１５を有している。
【００８３】
一方、マイク１の操作パネル７は、プッシュボタン１１の左右両側に嵌合孔１１７を有し、スライドノブ９の両側にも同様に嵌合孔１１９を有している。嵌合孔１１７は、プッシュボタン１１が通るボタン開口３７の縁部に形成された凹部（切欠き）で構成されている。また、嵌合孔１１９は、スライドノブ９が通るノブ開口３９の縁部に形成された凹部（切欠き）で構成されている。
【００８４】
このような構成により、誤操作防止カバー１１１は操作パネル７に着脱可能である。そして、誤操作防止カバー１１１は、操作パネル７に取り付けられて、プッシュボタン１１又はスライドノブ９を覆う。
【００８５】
使用者がスライドノブ９を長期的に使用する場合、図１５に示されるように、誤操作防止カバー１１１は、半円部が上側を向くように配置される。そして、左右の脚部１１３が、プッシュボタン１１の左右の嵌合孔１１７に挿入される。これにより、左右の嵌合爪１１５が嵌合孔１１７に係合し、誤操作防止カバー１１１が操作パネル７に固定され、プッシュボタン１１の外観を覆う。したがって、使用者が誤ってプッシュボタン１１に触れることを防止できる。
【００８６】
一方、使用者がプッシュボタン１１を長期的に使用する場合、図１６に示されるように、誤操作防止カバー１１１は反転され、半円部が下側を向くように配置される。そして、左右の脚部１１３が、スライドノブ９の左右の嵌合孔１１９に挿入される。これにより、左右の嵌合爪１１５が嵌合孔１１９に係合し、誤操作防止カバー１１１が操作パネル７に固定され、スライドノブ９の外観を覆う。したがって、使用者が誤ってスライドノブ９に触れることを防止できる。
【００８７】
このようにして、本実施の形態によれば、簡単な構成にて、長期的に使用されない操作部に使用者が触れる誤操作を好適に防止できる。
【００８８】
以上に本発明の実施の形態に係るマイクについて説明した。上記の実施の形態では、スイッチ２１が本発明の電気接点部品に相当する。また、スライド部材１３が第１操作手段に相当し、スライドノブ９が第１操作部位に相当する。また、プッシュ部材１５が第２操作手段に相当し、プッシュボタン１１が第２操作部位に相当する。また、スライド部材１３の第１斜面１０１及びプッシュ部材１５の第２斜面１０３が、連動手段（又は連動機構）に相当する。
【００８９】
第１操作手段（スライド部材１３）は、電源投入操作と電源解除操作を独立して受ける構成であり、第１操作部位（スライドノブ９）に対する操作に応じて通電状態と非通電状態が切り換わる。すなわち、第１操作手段にて電源投入操作が行われた後は、次の電源解除操作まで通電状態が維持される。また、第１操作手段にて電源解除操作が行われた後は、次の電源投入操作まで非通電状態が維持される。第２操作手段（プッシュ部材１５）は、第２操作部位（プッシュボタン１１）に対して電源投入操作が行われている間のみ電気接点部品を通電状態にし、電源投入操作の力が取り除かれると電源を解除する。
【００９０】
このような第１操作手段、第２操作手段及び連動手段を設けたので、本実施の形態によれば、マイク１を長時間使用するときには第１操作手段が便利に使用される。短時間に電源投入と電源解除を繰り返す場合には第２操作手段が便利に使用される。また、第２操作手段を用いることにより、例えば複数の使用者により短時間使用が順次行われる場合に、受渡し時や落下時にマイク電源がオフになるのでノイズ出力を回避できる。
【００９１】
また、連動手段を設けたことにより、第１操作手段に対する操作が第２操作手段を介して電気接点部品（スイッチ２１）に伝えられるので、電気接点部品が一つでよく、構成が簡単である。
【００９２】
更に、第１操作部位と第２操作部位とが隔離されているので、第２操作手段の操作中に誤って第１操作手段を操作するといった誤操作を防止できる。具体的には、スライドノブ９とプッシュボタン１１とが隔離されているので、プッシュ操作中に誤ってスライド操作を行うといった誤操作を防止できる。
【００９３】
こうして、本実施の形態によれば、短時間使用の場合の利便性が高く、受渡し時及び落下時のノイズ出力を回避でき、更に誤操作によるノイズを防止でき、構成が簡単なマイク１を提供できる。
【００９４】
また、本実施の形態によれば、スライド部材１３の第１斜面１０１とプッシュ部材１５の第２斜面１０３により連動機構が構成される。第１斜面１０１及び第２斜面１０３はスライド方向及びプッシュ方向に対して傾斜しており、スライド部材１３が非通電位置から通電位置にスライドするときに、第１斜面１０１が第２斜面１０３を押圧し、プッシュ部材１５をプッシュ方向に移動させる。したがって、係合する２つの斜面１０１、１０３からなる簡単な構成により、スライド部材１３にプッシュ部材１５を連動させることができる。
【００９５】
また、本実施の形態によれば、スプリング１７がスイッチ２１とプッシュ部材１５の間に配置され、プッシュ部材１５をプッシュ方向と反対方向に付勢する。プッシュ操作はスプリング１７を介してスイッチ２１へ伝達される。また、プッシュボタン１１が押されないときは、スプリング１７によりプッシュ部材１５が付勢されて、非通電状態が維持される。こうして、スイッチ２１とプッシュ部材１５の間にスプリング１７を介在させる簡単な構成により、一時的に電源を投入するプッシュ部材１５の機能を好適に実現できる。
【００９６】
また、本実施の形態では、プッシュボタン１１がスライドノブ９よりもマイク先端側に配置されている。使用者がマイク１を把持しながらプッシュボタン１１を操作するとき、親指がマイク先端を向いていることが多い。そのため、使用者がプッシュボタン１１を親指で押し下げる場合、親指がマイク先端側に向けて滑る傾向がある。この構成では、プッシュボタン１１がスライドノブ９よりマイク先端側に配置されるので、仮に親指が滑っても、スライドノブ９に親指が接触しない。したがって、誤操作をより確実に防止できる。
【００９７】
また、本実施の形態によれば、スライド部材１３を通電位置及び非通電位置のいずれかにロックするロック手段が設けられる。したがって、スライド部材１３を通電位置又は非通電位置に確実に保持でき、通電状態又は非通電状態を確実に維持できる。
【００９８】
また、本実施の形態では、スライド部材１３のロック手段が、撓み変形可能な弾性片部５９から突出する弾性爪６１を有し、弾性爪６１が、通電位置及び非通電位置にそれぞれ対応する複数の爪嵌合部６３、６５のいずれかに嵌り、スライド部材１３の移動を制限する。したがって、簡単な構成にてスライド部材１３を通電位置又は非通電位置に係止できる。
【００９９】
また、本実施の形態では、プッシュボタン１１への荷重が所定の上限荷重を超える前にプッシュ部材１５のプッシュ方向への移動を規制するように突当構造が設けられる。この構成により、いたずら等によりプッシュボタン１１が異常な過荷重で押し込まれた場合でも、スイッチ２１等が破損するのを防ぐ保護機能を提供できる。しかも、このような保護機能を、部品点数を増加させることなく実現できる。
【０１００】
また、本実施の形態では、操作パネル７がプッシュ部材１５及びスライド部材１３を覆っており、操作パネル７は、プッシュボタン１１を露出させるボタン開口３７と、スライドノブ９を露出させるノブ開口３９とを有し、ボタン開口３７とノブ開口３９が仕切部４１で仕切られている。この構成により、プッシュボタン１１とスライドノブ９を適切に隔離でき、誤操作を確実に防止できる。
【０１０１】
また、本実施の形態では、操作パネル７は傾斜面３３で囲まれた凹部３１を有し、凹部３１の底部３５にボタン開口３７及びノブ開口３９が設けられている。この構成により、使用者の指が傾斜面３３で案内され、誤操作を低減でき、操作が容易になる。好ましくは、プッシュボタン１１がスライドノブ９よりマイク先端側であって、傾斜面３３の近傍に配置される。これにより、使用者の親指がプッシュボタン１１から滑ろうとしても、操作パネル７の傾斜面３３に支持される。したがって、滑りを防止でき、操作が容易になる。
【０１０２】
また、本実施の形態によれば、操作パネル７に着脱可能であり、プッシュボタン１１及びスライドノブ９の一方を選択的に覆うように誤操作防止カバー１１１が設けられる。この構成により、使用者が長期的にプッシュボタン１１とスライドノブ９の一方を操作することを想定している場合に、隣接する他方の操作部位に誤って触れることを防止できる。
【０１０３】
以上に本発明の好適な実施の形態を説明した。しかし、本発明は上述の実施の形態に限定されず、当業者が本発明の範囲内で上述の実施の形態を変形可能なことはもちろんである。
【産業上の利用可能性】
【０１０４】
以上のように、本発明にかかるマイクロフォン装置は、短時間使用の場合の利便性が高く、受渡し時及び落下時のノイズ出力を回避でき、更に誤操作によるノイズを防止でき、構成が簡単であるという効果を有し、教育などに使用されるマイクロフォン装置等として有用である。
【図面の簡単な説明】
【０１０５】
【図１】本発明の実施の形態におけるマイクロフォン装置の分解斜視図
【図２】本発明の実施の形態におけるマイクロフォン装置の外観の斜視図
【図３】マイクロフォン装置の操作パネル部を拡大した斜視図
【図４】マイクロフォン装置の操作パネル部の正面図
【図５】マイクロフォン装置の断面図
【図６】プッシュ操作を示す断面図
【図７】スライド操作を示す断面図
【図８】プッシュ部材の突当機構を示す図
【図９】プッシュボタンが過荷重で押し込まれたときの保護機能を示す図
【図１０】スライド部材とプッシュ部材の連動機構を示す図
【図１１】マイクロフォン装置の操作パネル部の断面図
【図１２】プッシュ操作方法を示す斜視図
【図１３】スライド操作方法を示す斜視図
【図１４】操作パネルに着脱可能な誤操作防止カバーを示す図
【図１５】プッシュボタンを覆うように誤操作防止カバーを取り付けた状態を示す図
【図１６】スライドノブを覆うように誤操作防止カバーを取り付けた状態を示す図
【符号の説明】
【０１０６】
１  マイク
３  本体ケース
７  操作パネル
９  スライドノブ
１１  プッシュボタン
１３  スライド部材
１５  プッシュ部材
１７  スプリング
２１  スイッチ
３１  凹部
３３  傾斜面
３５  底部
３７  ボタン開口
３９  ノブ開口
４１  仕切部
５９  弾性片部
６１  弾性爪
６３，６５  爪嵌合部
７５  突起部
７７  突当壁
１０１  第１斜面
１０３  第２斜面
１１１  誤操作防止カバー
【図１】
2010183399.tif 000003
【図２】
2010183399.tif 000004
【図３】
2010183399.tif 000005
【図４】
2010183399.tif 000006
【図５】
2010183399.tif 000007
【図６】
2010183399.tif 000008
【図７】
2010183399.tif 000009
【図８】
2010183399.tif 000010
【図９】
2010183399.tif 000011
【図１０】
2010183399.tif 000012
【図１１】
2010183399.tif 000013
【図１２】
2010183399.tif 000014
【図１３】
2010183399.tif 000015
【図１４】
2010183399.tif 000016
【図１５】
2010183399.tif 000017
【図１６】
2010183399.tif 000018
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
マイク電源の通電状態と非通電状態を切り替える電気接点部品と、
マイク使用者によりなされる第１操作方向への電源投入操作及び該第１操作方向とは反対方向の電源解除操作を独立して受ける第１操作部位を有する第１操作手段と、
前記第１操作方向と異なる第２操作方向への電源投入操作を受ける第２操作部位を有し、前記第２操作方向に前記電源投入操作が行われている間前記電気接点部品を前記通電状態にする第２操作手段と、
前記第１操作手段の前記第１操作方向の移動を前記第２操作手段の前記第２操作方向の移動に変換することにより、前記第１操作手段の操作と前記第２操作手段を連動させる連動手段とを備え、
前記第１操作手段の前記第１操作部位と前記第２操作手段の前記第２操作部位とが隔離されていることを特徴とするマイクロフォン装置。
【請求項２】
前記第１操作手段は、通電位置と非通電位置の間でスライド可能なスライドノブを前記第１操作部位として有するスライド部材を含み、前記第１操作方向は前記スライドノブのスライド方向であり、前記第２操作手段は、プッシュボタンを前記第２操作部位として有するプッシュ部材を含み、前記第２操作方向は前記プッシュボタンのプッシュ方向であり、前記プッシュボタンが前記スライドノブから隔離されていることを特徴とする請求項１に記載のマイクロフォン装置。
【請求項３】
前記連動手段は、前記スライド部材に設けられた第１斜面と、前記プッシュ部材に設けられた第２斜面とを有し、前記第１斜面及び前記第２斜面は前記スライド方向及び前記プッシュ方向に対して傾斜しており、前記スライド部材が前記非通電位置から前記通電位置にスライドするときに、前記第１斜面が前記第２斜面を押圧し、前記プッシュ部材を前記プッシュ方向に移動させることを特徴とする請求項２に記載のマイクロフォン装置。
【請求項４】
前記電気接点部品と前記プッシュ部材との間に配置されたバネ部材を有し、前記バネ部材は、前記プッシュ部材を前記プッシュ方向と反対方向に付勢することを特徴とする請求項２または３に記載のマイクロフォン装置。
【請求項５】
前記プッシュボタンが前記スライドノブよりもマイク先端側に配置されていることを特徴とする請求項２乃至４のいずれかに記載のマイクロフォン装置。
【請求項６】
前記スライド部材を前記通電位置及び前記非通電位置のいずれかにロックするロック手段を有することを特徴とする請求項２乃至５のいずれかに記載のマイクロフォン装置。
【請求項７】
前記ロック手段は、前記スライド部材に設けられており弾性的に撓み変形可能な弾性片部から突出する弾性爪を有し、前記弾性爪が、前記通電位置及び前記非通電位置にそれぞれ対応する複数の爪嵌合部のいずれかに嵌り、前記スライド部材の移動を制限することを特徴とする請求項６に記載のマイクロフォン装置。
【請求項８】
前記プッシュボタンへの荷重が所定の上限荷重を超える前に前記プッシュ部材の前記プッシュ方向への移動を規制する突当構造を有することを特徴とする請求項２乃至７のいずれかに記載のマイクロフォン装置。
【請求項９】
前記プッシュ部材及び前記スライド部材を覆う操作パネルを有し、前記操作パネルは、前記プッシュボタンを露出させるボタン開口と、前記スライドノブを露出させるノブ開口とを有し、前記ボタン開口と前記ノブ開口が仕切部で仕切られていることを特徴とする請求項２乃至８のいずれかに記載のマイクロフォン装置。
【請求項１０】
前記操作パネルは、傾斜面で囲まれた凹部を有し、前記凹部の底部に前記ボタン開口及び前記ノブ開口が設けられていることを特徴とする請求項９に記載のマイクロフォン装置。
【請求項１１】
前記操作パネルに着脱可能であり、前記プッシュボタン及び前記スライドノブの一方を選択的に覆う誤操作防止カバーを含むことを特徴とする請求項９または１０に記載のマイクロフォン装置。
【手続補正書】
【提出日】平成22年1月18日(2010.1.18)
【手続補正１】
【補正対象書類名】特許請求の範囲
【補正対象項目名】全文
【補正方法】変更
【補正の内容】
【特許請求の範囲】
【請求項１】
マイク電源の通電状態と非通電状態を切り替える電気接点部品と、
マイク使用者によりなされる第１操作方向への電源投入操作及び該第１操作方向とは反対方向の電源解除操作を独立して受ける第１操作部位を有する第１操作手段と、
前記第１操作方向と異なる第２操作方向への電源投入操作を受ける第２操作部位を有し、前記第２操作方向に前記電源投入操作が行われている間前記電気接点部品を前記通電状態にする第２操作手段と、
前記第１操作手段の前記第１操作方向の移動を前記第２操作手段の前記第２操作方向の移動に変換するとともに前記第１操作手段の前記第１操作方向とは反対方向の移動を前記第２操作手段の前記第２操作方向とは反対方向の移動に変換することにより、前記第１操作手段の操作と前記第２操作手段を連動させる連動手段とを備え、
前記第１操作手段の前記第１操作部位と前記第２操作手段の前記第２操作部位とが隔離されていることを特徴とするマイクロフォン装置。
【請求項２】
前記第１操作手段は、通電位置と非通電位置の間でスライド可能なスライドノブを前記第１操作部位として有するスライド部材を含み、前記第１操作方向は前記スライドノブのスライド方向であり、前記第２操作手段は、プッシュボタンを前記第２操作部位として有するプッシュ部材を含み、前記第２操作方向は前記プッシュボタンのプッシュ方向であり、前記プッシュボタンが前記スライドノブから隔離されていることを特徴とする請求項１に記載のマイクロフォン装置。
【請求項３】
前記連動手段は、前記スライド部材に設けられた第１斜面と、前記プッシュ部材に設けられた第２斜面とを有し、前記第１斜面及び前記第２斜面は前記スライド方向及び前記プッシュ方向に対して傾斜しており、前記スライド部材が前記非通電位置から前記通電位置にスライドするときに、前記第１斜面が前記第２斜面を押圧し、前記プッシュ部材を前記プッシュ方向に移動させることを特徴とする請求項２に記載のマイクロフォン装置。
【請求項４】
前記電気接点部品と前記プッシュ部材との間に配置されたバネ部材を有し、前記バネ部材は、前記プッシュ部材を前記プッシュ方向と反対方向に付勢することを特徴とする請求項２または３に記載のマイクロフォン装置。
【請求項５】
前記プッシュボタンが前記スライドノブよりもマイク先端側に配置されていることを特徴とする請求項２乃至４のいずれかに記載のマイクロフォン装置。
【請求項６】
前記スライド部材を前記通電位置及び前記非通電位置のいずれかにロックするロック手段を有することを特徴とする請求項２乃至５のいずれかに記載のマイクロフォン装置。
【請求項７】
前記ロック手段は、前記スライド部材に設けられており弾性的に撓み変形可能な弾性片部から突出する弾性爪を有し、前記弾性爪が、前記通電位置及び前記非通電位置にそれぞれ対応する複数の爪嵌合部のいずれかに嵌り、前記スライド部材の移動を制限することを特徴とする請求項６に記載のマイクロフォン装置。
【請求項８】
前記プッシュボタンへの荷重が所定の上限荷重を超える前に前記プッシュ部材の前記プッシュ方向への移動を規制する突当構造を有することを特徴とする請求項２乃至７のいずれかに記載のマイクロフォン装置。
【請求項９】
前記プッシュ部材及び前記スライド部材を覆う操作パネルを有し、前記操作パネルは、前記プッシュボタンを露出させるボタン開口と、前記スライドノブを露出させるノブ開口とを有し、前記ボタン開口と前記ノブ開口が仕切部で仕切られていることを特徴とする請求項２乃至８のいずれかに記載のマイクロフォン装置。
【請求項１０】
前記操作パネルは、傾斜面で囲まれた凹部を有し、前記凹部の底部に前記ボタン開口及び前記ノブ開口が設けられていることを特徴とする請求項９に記載のマイクロフォン装置。
【請求項１１】
前記操作パネルに着脱可能であり、前記プッシュボタン及び前記スライドノブの一方を選択的に覆う誤操作防止カバーを含むことを特徴とする請求項９または１０に記載のマイクロフォン装置。
【手続補正２】
【補正対象書類名】明細書
【補正対象項目名】００１２
【補正方法】変更
【補正の内容】
【００１２】
本発明のマイクロフォン装置は、マイク電源の通電状態と非通電状態を切り替える電気接点部品と、マイク使用者によりなされる第１操作方向への電源投入操作及び該第１操作方向とは反対方向の電源解除操作を独立して受ける第１操作部位を有する第１操作手段と、前記第１操作方向と異なる第２操作方向への電源投入操作を受ける第２操作部位を有し、前記第２操作方向に前記電源投入操作が行われている間前記電気接点部品を前記通電状態にする第２操作手段と、前記第１操作手段の前記第１操作方向の移動を前記第２操作手段の前記第２操作方向の移動に変換するとともに前記第１操作手段の前記第１操作方向とは反対方向の移動を前記第２操作手段の前記第２操作方向とは反対方向の移動に変換することにより、前記第１操作手段の操作と前記第２操作手段を連動させる連動手段とを備え、前記第１操作手段の前記第１操作部位と前記第２操作手段の前記第２操作部位とが隔離されている。